(57)【要約】【課題】光ディスクに記録する記録情報のデータ量が多い場合でも、視認性の良い文字や絵の画像を形成する。【解決手段】光ディスク記録再生装置１は、ＤＶＤ−Ｒ２００に情報と画像を記録する際に、ＤＶＤ−Ｒ２００に情報を記録後にデータを記録できる容量である残り容量を算出して、この残り容量分のダミー情報データを情報のデータよりも内周側に記録する。そして、このダミー情報データを隠ぺいし、ファイナライズ処理をしてから、このダミー情報データを記録した領域内に画像を形成する。同じ量のデータをＤＶＤ−Ｒ２００の外周側と内周側に記録した場合、両データの記録領域の半径方向の幅は、内周側の方が広いので、内周側に画像を形成することで、半径方向の幅が広い視認性の良い画像を光ディスクに形成できる。また、ダミー情報データは隠ぺいされており、この記録領域は読み飛ばされるので、その外周側の情報データも問題なく読み出すことができる。【選択図】図４
2008276856.tif 000002
【特許請求の範囲】
【請求項１】
光ディスクの記録面にレーザビームを照射して情報の記録及び画像の形成を行う光ディスク記録装置であって、
光ディスクに記録する情報のデータを光ディスクの記録フォーマットに基づいて変換する記録情報処理手段と、
光ディスクに形成する画像のデータを光ディスクの描画フォーマットに基づいて変換する画像データ処理手段と、
前記変換された情報のデータまたは前記変換された画像のデータに基づき照射位置を制御して、回転中の光ディスクにレーザビームを照射し、情報の記録または画像の形成を行う記録手段と、
光ディスクに記録する情報及び形成する画像の指定を受け付ける操作手段と、
前記記録手段に、ダミー情報データと前記指定された情報のデータを、光ディスクの記録領域の内周側から螺旋状に記録させる機能、
前記記録手段に、前記ダミー情報データの隠ぺい処理とファイナライズ処理を実行させる機能、
及び前記記録手段に、前記隠ぺい処理したダミー情報データの記録領域内に、前記指定された画像を形成させる機能を有する制御手段と、
を備えたことを特徴とする光ディスク記録装置。
【請求項２】
前記制御手段は、
前記情報の記録及び画像の形成を行う光ディスクのデータ記録可能容量、及び前記指定された情報のデータ量を確認する機能、
前記光ディスクのデータ記録可能容量と、前記情報のデータ量と、の差である残り容量を算出する機能、
前記残り容量以下のダミー情報データを生成する機能、
を有する請求項１に記載の光ディスク記録装置。
【請求項３】
光ディスクの記録面にレーザビームを照射して情報の記録及び画像の形成を行う光ディスク記録装置の制御方法であって、
ダミー情報データと前記光ディスクに記録する情報のデータを、光ディスクの記録領域の内周側から螺旋状に記録するように、前記光ディスク記録装置に指示する工程、
前記ダミー情報データの隠ぺい処理とファイナライズ処理を実行するように、前記光ディスク記録装置に指示する工程、
及び前記指定された画像のデータを前記光ディスク記録装置に出力して、前記隠ぺい処理したダミー情報データの記録領域内に前記指定された画像を形成するように、前記光ディスク記録装置に指示する工程、を含むことを特徴とする光ディスク記録装置の制御方法。
【請求項４】
入力を受け付ける操作手段と、情報を表示する表示手段と、を備え、光ディスクの記録面にレーザビームを照射して、情報の記録及び画像の形成を行う光ディスク記録装置の動作を制御するコンピュータに、
光ディスクに記録する情報及び光ディスクに形成する画像の指定を前記操作手段が受け付けたことを検出する機能と、
ダミー情報データと前記指定された情報のデータを前記光ディスク記録装置に出力して、両データを光ディスクの記録領域の内周側から螺旋状に記録するように、前記光ディスク記録装置に指示する記録指示機能、
前記ダミー情報データの隠ぺい処理とファイナライズ処理を実行するように、前記光ディスク記録装置に指示する機能、
及び前記指定された画像のデータを前記光ディスク記録装置に出力して、前記隠ぺい処理したダミー情報データの記録領域内に前記指定された画像を形成するように、前記光ディスク記録装置に指示する画像形成指示機能を実現させるための制御プログラム。
【請求項５】
前記コンピュータに、
前記情報の記録及び画像の形成を行う光ディスクのデータ記録可能容量、及び前記指定された情報のデータ量を確認する機能、
前記光ディスクのデータ記録可能容量と、前記情報のデータ量と、の差である残り容量を算出する機能、
及び前記残り容量以下のダミー情報データを生成するダミー生成機能を実現させるための請求項４に記載の制御プログラム。
【請求項６】
前記画像形成指示機能は、光ディスク上に複数の画素エリアを設定して、画像を形成する際に、ダミー情報データの記録時よりも強いパワーのレーザビームを照射するとともに、光ディスクの回転に伴い、光ディスクに照射するレーザビームを一定の振幅で振動させて、このレーザビームを画像の各画素に複数回照射するように、前記光ディスク記録装置に指示する機能である請求項４または５に記載の制御プログラム。
【請求項７】
前記コンピュータに、前記記録指示機能に続いて、前記ダミー情報データの記録領域の位置情報を取得するように、前記光ディスク記録装置に指示する機能を実現させるための請求項４乃至６のいずれかに記載の制御プログラム。
【請求項８】
前記コンピュータに、前記指定された画像のサイズを、前記ダミー情報データの記録領域内に収まるサイズに調整し、その画像のデータを生成する機能、を実現させるための請求項４乃至７のいずれかに記載の制御プログラム。
【請求項９】
前記コンピュータに、
前記ダミー情報データ及び前記指定された情報のデータの記録並びに前記指定された画像の形成を実行後の状態を、これらのデータの記録前に前記表示手段に表示させる機能、
前記ダミー情報データの記録領域の変更指示を前記操作手段で受け付けたことを検出する機能、
前記変更指示に基づいて、前記ダミー情報データのデータ量を変更する機能、
前記変更されたダミー情報データのデータ量に基づいて、前記指定された画像のサイズを調整し、その画像のデータを生成する機能、を実現させるための請求項３乃至６のいずれかに記載の制御プログラム。
【請求項１０】
前記コンピュータに、
前記指定された情報が複数ある場合には、
情報記録及び画像形成を行う順序の入力を促す機能、
前記順序を前記操作手段が受け付けたことを検出する機能、を実現させ、
前記記録指示機能は、前記順序で情報のデータとダミー情報データを記録するように、前記光ディスク記録装置に指示する機能である請求項３乃至９のいずれかに記載の制御プログラム。
【請求項１１】
前記コンピュータに、
前記指定された画像が複数ある場合には、
情報記録及び画像形成を行う第２順序の入力を促す機能、
前記第２順序を前記操作手段が受け付けたことを検出する比率検出機能、を実現させ、
前記ダミー生成機能は、合計容量が前記残り容量以下になるように、複数の画像の数だけダミー情報データを生成する機能であり、
前記記録指示機能は、前記第２順序で情報のデータとダミー情報データを記録するように、前記光ディスク記録装置に指示する機能である請求項５乃至１０のいずれかに記載の制御プログラム。
【発明の詳細な説明】
【技術分野】
【０００１】
本発明は、光ディスクのデータ記録面に文字や絵画などの画像を形成する光ディスク記録装置、光ディスク記録装置の制御方法、及び制御プログラムに関する。
【背景技術】
【０００２】
従来、ＣＤ−ＲやＣＤ−ＲＷといったデータを記録可能な光ディスクの記録面に記録情報を記録し、さらにその外周側のデータ未記録領域に画像情報を記録することで、文字や絵画などの可視画像を形成する発明が開示されている（例えば、特許文献１参照。）。
【特許文献１】特開２００４−３９０１３号公報
【発明の開示】
【発明が解決しようとする課題】
【０００３】
図１は、画像を形成した光ディスクの一例を示す図である。特許文献１に記載の発明では、光ディスクに記録する記録情報量が多いほど、データ未記録領域２１４は少なくなるので、データ未記録領域２１４の半径方向の幅は小さくなる。そのため、図１に示すように、記録データ量の多い（データ記録済領域２１３の広い）光ディスク２００に画像２１６（図では文字ＡＢＣＤＥ）を形成すると、光ディスクの半径における画像２１６の幅（画像の高さ）が小さいので、ユーザは画像を視認しづらいことがあった。
【０００４】
そこで、本発明は、光ディスクに記録する記録情報のデータ量が多い場合でも、視認性の良い文字や絵の画像を形成することができる光ディスク記録装置、光ディスク記録装置の制御方法、及び制御プログラムを提供することを目的とする。
【課題を解決するための手段】
【０００５】
この発明は、上記の課題を解決するための手段として、以下の構成を備えている。
【０００６】
（１）光ディスクの記録面にレーザビームを照射して情報の記録及び画像の形成を行う光ディスク記録装置であって、
光ディスクに記録する情報のデータを光ディスクの記録フォーマットに基づいて変換する記録情報処理手段と、
光ディスクに形成する画像のデータを光ディスクの描画フォーマットに基づいて変換する画像データ処理手段と、
前記変換された情報のデータまたは前記変換された画像のデータに基づき照射位置を制御して、回転中の光ディスクにレーザビームを照射し、情報の記録または画像の形成を行う記録手段と、
光ディスクに記録する情報及び形成する画像の指定を受け付ける操作手段と、
前記記録手段に、ダミー情報データと前記指定された情報のデータを、光ディスクの記録領域の内周側から螺旋状に記録させる機能、
前記記録手段に、前記ダミー情報データの隠ぺい処理とファイナライズ処理を実行させる機能、
及び前記記録手段に、前記隠ぺい処理したダミー情報データの記録領域内に、前記指定された画像を形成させる機能を有する制御手段と、
を備えたことを特徴とする。
【０００７】
この構成においては、光ディスク記録装置は、光ディスクに情報の記録及び画像の形成を行う場合、光ディスクの内周側から、ダミー情報データ、情報のデータを記録し、さらにこのダミー情報データを隠ぺいして、ダミー情報データの記録領域内に画像を形成する。ダミー情報データは隠ぺい処理されるので、一般的な光ディスク再生装置では読み出されない。したがって、光ディスクの記録面の情報データよりも内周側に画像を形成することができ、また、他の光ディスク再生装置でも、互換性に問題が生じること無く再生できるように情報のデータを記録できる。さらに、情報データの記録方法とは異なる方法で画像を形成したり、データ記録層の色素が飽和するような強いパワーで画像を形成したりしても、隠ぺいしたダミー情報データの領域に画像を形成するので、他のダミーでない情報のデータを問題なく読み出すことができる。
【０００８】
ここで、本発明で言うダミー情報データの隠ぺい処理とは、光ディスクに実データを記録したダミー情報データについて、制御情報ファイルにはダミー情報データの情報を書き込まないことをいう。この処理により、ダミー情報データが隠ぺいされて、一般的な光ディスク再生装置では読み出すことができなくなる。
【０００９】
（２）前記制御手段は、
前記情報の記録及び画像の形成を行う光ディスクのデータ記録可能容量、及び前記指定された情報のデータ量を確認する機能、
前記光ディスクのデータ記録可能容量と、前記情報のデータ量と、の差である残り容量を算出する機能、
前記残り容量以下のダミー情報データを生成する機能、
を有することを特徴とする。
【００１０】
この構成においては、光ディスク記録装置は、光ディスクに情報の記録及び画像の形成を行う場合、情報のデータを光ディスクに記録した際の残り容量を算出し、容量がこの残り容量以下であるダミー情報データと、情報のデータを、光ディスクの内周側から記録し、ダミー情報データの隠ぺい処理を行って、さらにこの隠ぺい処理したダミー情報データ上に画像を形成する。光ディスクは円盤状なので、同じ量のデータを記録した場合、その記録領域の半径方向の幅は、外周側よりも内周側の方が広い。したがって、従来のように、光ディスクの外周側の未記録領域に画像を形成した場合と比べて、未記録領域分のダミー情報データを光ディスクのデータ領域の内周側に記録し、さらにこの領域に画像を形成するので、画像の高さを高くでき、サイズの大きな視認性の良い画像を形成できる。また、ダミー情報データの容量は、光ディスクに情報のデータを記録した際の残り容量以下なので、情報データとダミー情報データを、光ディスクからはみ出すことなく確実に記録できる。
【００１１】
（３）光ディスクの記録面にレーザビームを照射して情報の記録及び画像の形成を行う光ディスク記録装置の制御方法であって、
ダミー情報データと前記光ディスクに記録する情報のデータを、光ディスクの記録領域の内周側から螺旋状に記録するように、前記光ディスク記録装置に指示する工程、
前記ダミー情報データの隠ぺい処理とファイナライズ処理を実行するように、前記光ディスク記録装置に指示する工程、
及び前記指定された画像のデータを前記光ディスク記録装置に出力して、前記隠ぺい処理したダミー情報データの記録領域内に前記指定された画像を形成するように、前記光ディスク記録装置に指示する工程、を含むことを特徴とする。
【００１２】
この構成においては、光ディスク記録装置を制御して、光ディスクに情報の記録及び画像の形成を行う場合、ダミー情報データと情報のデータを、光ディスクの内周側から記録し、ダミー情報データの隠ぺい処理を行い、さらにこのダミー情報データ上に画像を形成する。したがって、光ディスク記録装置に、光ディスクの記録面の情報データよりも内周側に画像を形成させることができ、また、他の光ディスク再生装置でも、互換性に問題が生じること無く再生できるように情報のデータを記録させることができる。
【００１３】
（４）入力を受け付ける操作手段と、情報を表示する表示手段と、を備え、光ディスクの記録面にレーザビームを照射して、情報の記録及び画像の形成を行う光ディスク記録装置の動作を制御するコンピュータに、
光ディスクに記録する情報及び光ディスクに形成する画像の指定を前記操作手段が受け付けたことを検出する機能と、
ダミー情報データと前記指定された情報のデータを前記光ディスク記録装置に出力して、両データを光ディスクの記録領域の内周側から螺旋状に記録するように、前記光ディスク記録装置に指示する記録指示機能、
前記ダミー情報データの隠ぺい処理とファイナライズ処理を実行するように、前記光ディスク記録装置に指示する機能、
及び前記指定された画像のデータを前記光ディスク記録装置に出力して、前記隠ぺい処理したダミー情報データの記録領域内に前記指定された画像を形成するように、前記光ディスク記録装置に指示する画像形成指示機能を実現させることを特徴とする。
【００１４】
この構成においては、光ディスクの記録面に情報の記録及び画像の形成を行う光ディスク記録装置の動作を制御するコンピュータに、制御プログラムを実行させて、光ディスクに情報の記録及び画像の形成を行うと、光ディスク記録装置は、ダミー情報データと情報のデータを、光ディスクの内周側から記録し、ダミー情報データを隠ぺいし、さらにこのダミー情報データ上に画像を形成する。したがって、（１）と同様の効果が得られる。
【００１５】
（５）前記コンピュータに、
前記情報の記録及び画像の形成を行う光ディスクのデータ記録可能容量、及び前記指定された情報のデータ量を確認する機能、
前記光ディスクのデータ記録可能容量と、前記情報のデータ量と、の差である残り容量を算出する機能、
及び前記残り容量以下のダミー情報データを生成するダミー生成機能を実現させることを特徴とする。
【００１６】
この構成においては、光ディスクの記録面に情報の記録及び画像の形成を行う光ディスク記録装置の動作を制御するコンピュータに、制御プログラムを実行させて、光ディスクに情報の記録及び画像の形成を行うと、光ディスク記録装置は、情報のデータを記録した際の残り容量以下のダミー情報データと、情報のデータと、を光ディスクの内周側から記録し、ダミー情報データを隠ぺいし、さらにこのダミー情報データ上に画像を形成する。したがって、（２）と同様の効果が得られる。
【００１７】
（６）前記画像形成指示機能は、光ディスク上に複数の画素エリアを設定して、画像を形成する際に、ダミー情報データの記録時よりも強いパワーのレーザビームを照射するとともに、光ディスクの回転に伴い、光ディスクに照射するレーザビームを一定の振幅で振動させて、このレーザビームを画像の各画素に複数回照射するように、前記光ディスク記録装置に指示する機能であることを特徴とする。
【００１８】
この構成においては、光ディスクの記録面に情報の記録及び画像の形成を行う光ディスク記録装置の動作を制御するコンピュータに、制御プログラムを実行させることで、光ディスク記録装置は、光ディスクの回転に伴い、ダミー情報データの記録時よりも強いパワーのレーザビームを一定の振幅で振動させて、このレーザビームを画像の各画素に複数回照射して、画像を形成することができる。光ディスクの情報データが記録された領域は、レーザビームが照射されて変色しているのは一部であり、レーザビームが照射された部分もさらに強いパワーのレーザビームを照射することで、変色させることができる。したがって、光ディスクに、データ記録層がさらに変色するような強いパワーのレーザビームであって、情報データの記録方法とは異なり、レーザビームを一定の振幅で振動させて画像の各画素に複数回レーザビームを照射することで、ダミー情報データに画像を上書きしても、コントラストの高い視認性の良い画像を形成できる。
【００１９】
（７）前記コンピュータに、前記記録指示機能に続いて、前記ダミー情報データの記録領域の位置情報を取得するように、前記光ディスク記録装置に指示する機能を実現させることを特徴とする。
【００２０】
この構成においては、光ディスクの記録面に情報の記録及び画像の形成を行う光ディスク記録装置の動作を制御するコンピュータに、制御プログラムを実行させることで、前記ダミー情報データに記録した領域の位置情報を取得することができる。したがって、コンピュータに画像形成指示機能を実現させる際に、予め画像を形成する位置がわかるので、容易かつ短時間に画像を形成できる。
【００２１】
（８）前記コンピュータに、前記指定された画像のサイズを、前記ダミー情報データの記録領域内に収まるサイズに調整し、その画像のデータを生成する機能、を実現させることを特徴とする。
【００２２】
この構成においては、光ディスクの記録面に情報の記録及び画像の形成を行う光ディスク記録装置の動作を制御するコンピュータに、制御プログラムを実行させることで、光ディスク記録装置は、ダミー情報データの記録領域内に収まるサイズの画像を光ディスクの記録面に形成する。したがって、ダミー情報データの記録領域の広さに応じて画像サイズを調整して、適切なサイズの画像を形成できる。また、ダミー情報データの記録領域から画像がはみ出ることが無いので、光ディスク再生装置で情報のデータを問題なく読み出すことができる。
【００２３】
（９）前記コンピュータに、
前記ダミー情報データ及び前記指定された情報のデータの記録並びに前記指定された画像の形成を実行後の状態を、これらのデータの記録前に前記表示手段に表示させる機能、
前記ダミー情報データの記録領域の変更指示を前記操作手段で受け付けたことを検出する機能、
前記変更指示に基づいて、前記ダミー情報データのデータ量を変更する機能、
前記変更されたダミー情報データのデータ量に基づいて、前記指定された画像のサイズを調整し、その画像のデータを生成する機能、を実現させることを特徴とする。
【００２４】
この構成においては、光ディスクの記録面に情報の記録及び画像の形成を行う光ディスク記録装置の動作を制御するコンピュータに、制御プログラムを実行させることで、光ディスク記録装置は、情報のデータの記録並びに前記指定された画像の形成を実行後の状態を、これらのデータの記録前に表示手段に表示し、ダミー情報データの記録領域の変更指示を操作手段で受け付けると、変更指示に基づいて、前記ダミー情報データのデータ量を変更し、変更されたダミー情報データのデータ量に基づいて、指定された画像のサイズを調整し、その画像のデータを生成し、ダミー情報データの記録領域に画像を形成する。したがって、光ディスクに記録する画像のサイズをユーザの好みに応じて変更できる。
【００２５】
（１０）前記コンピュータに、
前記指定された情報が複数ある場合には、
情報記録及び画像形成を行う順序の入力を促す機能、
前記順序を前記操作手段が受け付けたことを検出する機能、を実現させ、
前記記録指示機能は、前記順序で情報のデータとダミー情報データを記録するように、前記光ディスク記録装置に指示する機能であることを特徴とする。
【００２６】
この構成においては、光ディスクの記録面に情報の記録及び画像の形成を行う光ディスク記録装置の動作を制御するコンピュータに、制御プログラムを実行させることで、入力された順序で情報の記録及び画像の形成を行うことができる。したがって、情報データの間に画像を形成することが可能となり、光ディスクの記録面において、内周側と外周側の中間部に画像を形成でき、情報データも問題なく読み出すことができる。
【００２７】
（１１）前記コンピュータに、
前記指定された画像が複数ある場合には、
情報記録及び画像形成を行う第２順序の入力を促す機能、
前記第２順序を前記操作手段が受け付けたことを検出する比率検出機能、を実現させ、
前記ダミー生成機能は、合計容量が前記残り容量以下になるように、複数の画像の数だけダミー情報データを生成する機能であり、
前記記録指示機能は、前記第２順序で情報のデータとダミー情報データを記録するように、前記光ディスク記録装置に指示する機能であることを特徴とする。
【００２８】
この構成においては、光ディスクの記録面に情報の記録及び画像の形成を行う光ディスク記録装置の動作を制御するコンピュータに、制御プログラムを実行させることで、入力された順序で情報の記録及び画像の形成を行うことができる。したがって、画像の間に情報データを記録することが可能となり、光ディスクの記録面において、内周と外周の間に複数の画像を形成でき、情報データも問題なく読み出すことができる。
【発明の効果】
【００２９】
本発明では、光ディスクに情報の記録及び画像の形成を行う場合には、情報を記録した際の残り容量分のダミー情報データを記録情報の内周側に記録し、このダミー情報データ上に可視画像を形成することができる。光ディスクは円盤状なので、同じデータ量であれば、外周側よりも内周側の方が半径方向の幅は広い。したがって、高さが高い（半径方向の幅が広い）画像を形成できるので、サイズの大きな視認性の良い画像を形成できる。また、ダミー情報データは隠ぺい処理されるので、このダミー情報データが読み出されることがなく、ダミー情報データ上に画像を形成しても問題なく、その外周側の情報のデータを読み出すことができる。
【発明を実施するための最良の形態】
【００３０】
＜光ディスク記録再生装置の構成＞
図２は、光ディスク記録再生装置の概略構成を示すブロック図である。図２に示すように、光ディスク記録再生装置１（以下、装置１と称する。）は、光ディスクドライブ１０（以下、ドライブ１０と称する。）及びホストコンピュータ３０（以下、ホスト３０と称する。）がインタフェースを介してケーブル２０により有線接続された構成である。なお、ドライブ１０とホスト３０は、もちろん無線接続されていても良い。
【００３１】
以下の説明では、光ディスクの一例としてＤＶＤ−Ｒ２００の記録面のデータ記録層に画像を形成する場合について説明する。また、以下の説明では、光ディスクに画像を形成することを、光ディスクに画像を記録するとも言う。
【００３２】
また、以下の説明では、ドライブ１０は、ＣＡＶ（Constant Angular Velocity)方式でＤＶＤ−Ｒ２００に対して情報の記録や画像の形成を行うものとする。もちろん、本発明は、ＣＬＶ（Constant Linear Velocity）方式やＺＣＬＶ（Zone Constant Linear Velocity ）などの他の方式を適用することも可能である。
【００３３】
ドライブ１０は、インタフェース１１０、記録情報処理部１２０、画像データ処理部１３０、読出情報処理部１４０、記録・読出部１５０、記憶部１６０、及び制御部１７０を備えている。ドライブ１０は、インタフェース１１０を介してホスト３０に接続されている。ドライブ１０は、ＤＶＤ−Ｒ２００に情報の記録や画像の形成を行ったり、ＤＶＤ−Ｒ２００に記録された情報の読み出しを行ったりする。
【００３４】
インタフェース１１０は、ホスト３０から供給される情報のデータや、ＤＶＤ−Ｒ２００に形成する画像のデータなどをドライブ１０が受け取ったり、ＤＶＤ−Ｒ２００から読み出した情報のデータをホスト３０に出力したり、ホスト３０と信号のやりとりを行ったりするためのインタフェースである。
【００３５】
記録情報処理部１２０は、ホスト３０からインタフェース１１０を介して、ＤＶＤ−Ｒ２００の記録面に記録すべき音楽・映像・プログラム等の各種情報のデータ（以下、情報データと称する。）が供給されると、この情報データを一時的に記憶する。また、記録情報処理部１２０は、ＤＶＤ−Ｒ２００に情報を記録する際に、一時的に記憶している情報データを、ＤＶＤ−Ｒの記録フォーマットに基づいて８／１６変調して、この８／１６変調信号に対して時間軸補正処理などを施して、記録・読出部１５０へ出力する。
【００３６】
画像データ処理部１３０は、ホスト３０からインタフェース１１０を介して、ＤＶＤ−Ｒ２００に形成する画像のデータ（以下、画像データと称する。）が供給されると、この画像データを一時的に記憶する。また、画像データ処理部１３０は、ＤＶＤ−Ｒ２００に画像を形成する際に、予め設定されている描画フォーマットに基づいて、画像データ（階調データ）と、制御部１７０から指示された周回数に応じて、記録・読出部１５０が照射するレーザビーム（レーザ光）の強度を指示する制御信号に変換して、記録・読出部１５０へ出力する。
【００３７】
ここで、レーザビームの強度を指示する制御信号には、レーザビームを照射するとＤＶＤ−Ｒ２００のデータ記録層が十分に変色する強度である画像ライトレベルを指示する信号と、レーザビームを照射してもＤＶＤ−Ｒ２００のデータ記録層がほとんど変色しない強度であるサーボレベルを指示する信号と、がある。
【００３８】
読出情報処理部１４０は、記録・読出部１５０がＤＶＤ−Ｒ２００に、リードレベルのレーザビームを照射して、読み出した情報の信号を８／１６復調し、インタフェース１１０を介して復調した情報データをホスト３０へ出力する。
【００３９】
記録・読出部１５０は、ＤＶＤ−Ｒ２００を回転させるスピンドルモータ、ＤＶＤ−Ｒ２００の記録面にレーザビームを照射する光ピックアップ、スピンドルサーボ・トラッキングサーボ・フォーカスサーボ・スレッドサーボの各機構（いずれも不図示）等を備えており、回転中のＤＶＤ−Ｒ２００に対して、各サーボ機構により照射位置を制御しながら光ピックアップからレーザビームを照射して、情報データの記録、画像の形成、及び情報データの読み出しを行う。ここで、周知のように、ＤＶＤ−Ｒには、螺旋状にランド及びプリグループが形成されており、記録・読出部１５０は、ＤＶＤ−Ｒ２００に対して情報データを螺旋状に記録する。
【００４０】
記憶部１６０は、制御部１７０が実行する各種の制御プログラム等を記憶する。
【００４１】
制御部１７０は、記憶部１６０に格納されたプログラムに従って光ディスクドライブ１０の各部を操作して、ＤＶＤ−Ｒ２００の記録面に対してレーザビームを照射させて、情報の記録や読み出し、画像の形成を行う。
【００４２】
ホスト３０は、インタフェース３１０、記憶部３２０、表示部３３０、操作部３４０、通信部３５０、制御部３６０、ダミー情報データ生成部３７０、及びバス３９０を備えている。
【００４３】
インタフェース３１０は、ＤＶＤ−Ｒ２００に記録するデータや、ＤＶＤ−Ｒ２００に形成する画像のデータなどをドライブ１０へ出力したり、ドライブ１０が出力したＤＶＤ−Ｒ２００から読み出した情報のデータを受け取ったりするためのインタフェースである。
【００４４】
記憶部３２０は、制御部３６０で実行するプログラムやドライブ１０によりＤＶＤ−Ｒ２００に形成する画像のデータなどを記憶するメモリやハードディスク等の記憶装置である。
【００４５】
表示部３３０は、ユーザに伝達するメッセージや画像などを表示する液晶モニタ等の表示装置である。
【００４６】
操作部３４０は、ユーザがドライブ１０やホスト３０を操作する入力を受け付けるキーボードやマウス等の操作（入力）機器である。
【００４７】
通信部３５０は、不図示のインターネットに接続して、他の機器と情報のやりとりを行ったり、操作部３４０の操作により、光ディスクに記録する情報や画像のデータを受信したりする。
【００４８】
制御部３６０は、ホスト３０の各部、及びドライブ１０を制御する。また、制御部３６０は、ダミー情報データ生成部３７０を備えている。ダミー情報データ生成部３７０は、光ディスクに記録するダミー情報データを生成する。制御部３６０は、ダミー情報データ生成部３７０が生成したダミー情報データを、インタフェース３１０を介してドライブ１０に出力する。
【００４９】
ホスト３０の各部は、バス３９０を介して情報をやりとりする。
【００５０】
＜光ディスク記録装置の機能＞
装置１は、一般的な光ディスク記録再生装置と同様に、ＤＶＤ−Ｒ２００の記録面側からデータ記録層にレーザビーム（レーザ光）を照射して、情報を記録したり、記録された情報を読み出したりする機能を備えている。また、装置１は、引用文献１に記載の発明と同様に、ＤＶＤ−Ｒ２００のデータ記録層にレーザビームを照射して、データ記録層を変色させて画像を形成する機能を備えている。
【００５１】
さらに、装置１は、情報記録及び画像形成を行う際には、光ディスクの内周側から、任意の順序でダミー情報データと情報データを記録し、ダミー情報データの隠ぺい処理とファイナライズ処理を行ってから、隠ぺいしたダミー情報データ上に画像を形成するという特徴的な機能を備えている。装置１では、この特徴的な機能により、光ディスクの記録面におけるデータ領域の内周側に画像データを記録できる。また、この画像データの外周側に記録した情報データを問題なく読み出すことができる。
【００５２】
ここで、ダミー情報データの隠ぺい処理とは、制御情報ファイル（例えば、ＩＦＯファイル）にダミー情報データのファイル名やアドレス等の記録位置情報を書き込まないことをいう。一般的な光ディスク再生装置では、隠ぺい処理されたダミー情報データは、記録位置が書き込まれていないので読み出されない。
【００５３】
なお、情報の記録・再生機能は周知であるため、詳細な説明を省略する。
【００５４】
＜ダミー情報データ上に画像を形成する機能の有効性＞
次に、ダミー情報データ上に画像を形成する機能の有効性について説明する。図３は、ＤＶＤ−Ｒのディスク半径とデータ容量の関係を示すグラフである。図４は、光ディスクの外周側に画像を形成した場合と、内周側に画像を形成した場合を示す概観図である。図３には、片面のデータ記録容量が４．７ＧｂｙｔｅのＤＶＤ−Ｒについて、データ領域内周側からの積算データ容量を示している。
【００５５】
図３からわかるように、ＤＶＤ−Ｒ２００は円盤状であるため、一定量のデータを記録する場合、そのデータの記録領域の半径方向の幅は外周側ほど狭くなる。例えば、図４（Ａ）に示すように、装置１で、４．２ＧｂｙｔｅのデータをＤＶＤ−Ｒ２００Ａに記録すると、このデータ記録済領域２１３Ａの外周側には、０．５Ｇｂｙｔｅのデータ未記録領域２１４Ａが存在する。このＤＶＤ−Ｒ２００Ａのデータ未記録領域２１４Ａ（容量は０．５Ｇｂｙｔｅ）の半径方向の幅は、
５８．０ｍｍ［記録不能領域２１５の内周側の半径］−５５．４ｍｍ［データ記録済領域２１３Ａの外周側の半径］＝２．６ｍｍ
である。そのため、装置１で、このＤＶＤ−Ｒ２００Ａのデータ未記録領域２１４Ａに文字画像２１６Ａ（図では文字ＡＢＣＤＥ）を形成すると、文字画像の字高は最大でも２．６ｍｍであり、かなり小さな文字になる。
【００５６】
これに対して、図４（Ｂ）に示すように、装置１では、ＤＶＤ−Ｒ２００Ｂの内周側の記録情報管理領域及びリードイン領域２１１（以下、単にリードイン領域と称する。）に続いて、前記のデータ未記録領域２１４Ａの容量である０．５Ｇｂｙｔｅのダミー情報データを記録し（記録領域２１７Ｂ）、さらに、４．２Ｇｂｙｔｅのデータを記録する（データ記録済領域２１３Ｂ）ことができる。このダミー情報データの記録領域２１７Ｂの半径方向の幅は、
２９．５ｍｍ［ダミー情報データの記録領域２１７Ｂの外周側の半径］−２４．１ｍｍ［リードイン領域２１１の外周側の半径］＝５．４ｍｍ
である。
【００５７】
ここで、データ領域の最内周側には、ボリューム構造が記述された領域２１２があり、この領域は必ず読み出せなければならない。そのため、本発明では、リードイン領域に続けてダミー情報データを記録する場合には、半径方向の幅で約０．１ｍｍの領域である領域２１２を、画像形成の禁止領域とする。
【００５８】
図４（Ｂ）に示すように、装置１では、ダミー情報データの記録領域２１７Ｂ上に画像を形成する機能を備えており、記録領域２１７Ｂ内に文字画像２１６Ｂ（図では文字ＡＢＣＤＥ）を形成すると、文字画像の字高は最大で５．４ｍｍとなる。つまり、内周側に画像を形成する方が、外周側に画像を形成するよりも大きな文字を形成できる。
【００５９】
このように、装置１では、ＤＶＤ−Ｒ２００にデータの記録と画像の形成を同時に行う場合には、上記のように、ＤＶＤ−Ｒ２００の内周側からダミー情報データ、情報データの順に記録して、このダミー情報データ上に画像を形成させることができる。これにより、ＤＶＤ−Ｒ２００にデータを記録してからデータ未記録領域に画像を形成する場合に比べて、サイズの大きな視認性の良い画像を形成することができる。
【００６０】
＜可視画像のコントラスト（視認性）＞
上記のように、ＤＶＤ−Ｒのダミー情報データ記録領域上に可視画像を形成した場合、この領域に記録した画像のコントラストは、ＤＶＤ−Ｒのデータ未記録領域に可視画像を形成した場合のコントラストよりも若干低くなる。しかし、以下に説明する理由により、ダミー情報データ記録領域上に形成した可視画像は、十分視認できる。
【００６１】
ＤＶＤ−Ｒの記録層には、周知のように有機色素が使用されており、データを記録するためにレーザビーム（レーザ光）を照射して記録マークを形成すると、データ記録領域は変色する。ＤＶＤ−Ｒのデータトラックでは、記録マークと非記録マークの比率はほぼ５０％になるように規格化されている。つまり、データトラックの約半分は、レーザビームにより変色していない。そのため、少なくとも非記録マークの部分にレーザビームを照射することで、有機色素を変色させることが可能である。
【００６２】
また、ＤＶＤ−Ｒのデータ記録領域にはランドとグルーブが形成されており、記録マーク（データトラック）はグルーブにのみ形成され、ランドにはデータトラックは形成されない。そのため、ランドの部分にレーザビームを照射することで、有機色素を変色させることが可能である。
【００６３】
さらに、レーザビームが照射された記録マークの部分の有機色素は、通常、飽和レベルまで変色していない。そのため、ライトパワーよりも強いパワーのレーザビームを記録マークの部分に照射することで、有機色素をさらに変色させることが可能である。
【００６４】
加えて、装置１では、画像形成時のレーザパワーをデータ記録時のレーザパワーよりも強く設定している。例えば、データ記録時のレーザパワー（ライトレベル）を３０ｍＷ、画像形成時のレーザパワー（画像ライトレベル）をフルパワーである５０ｍＷに設定している。このように、画像形成時には、強いパワーのレーザビームを照射するので、有機色素を飽和レベルまたは飽和レベルに近いレベルまで変色させることが可能である。
【００６５】
また、装置１では、画像を形成する際に、光ディスクの回転に伴い、光ディスクに照射するレーザビームを一定の振幅で振動させることで、画像の各画素にレーザビームを複数回照射している。このように、情報データを記録する方式とは異なる方式でレーザビームを照射するので、画像の各画素に対して、レーザビームの軌跡が高密度となり、画像のコントラストを高くすることが可能となる。具体的には、以下のようにレーザビームを照射する。
【００６６】
図５は、画像形成時のレーザ光の照射軌跡の一例を示す図である。図５において、行と列は光ディスクに仮想的に配置した行列を平面的に展開したものである。光ディスクの半径方向を行、周方向を列としている。行は半径を分割し、それぞれ所定の幅を有するように配置される。列は周を所定数で分割した幅を有するように配置される。列幅は光ディスク上では角度で表され、記録動作上は時間で表される。
【００６７】
光ディスク上に文字や絵や写真などの画像を配置したときに、それぞれの画素範囲と画像とを対応付けて画像から階調を抽出し、画像形成データとする。この画像形成データの階調に応じてレーザビームを高い強度（画像ライトレベル）または低い強度（サーボレベル）で照射すると画像を形成できる。図５において、レーザビームの振動中心Ｃｅは行ｍの中心に位置している。レーザビームは半径方向に振動させられ、その振幅は内側と外側の行にわたる振幅となっている。説明の簡略化のため内側１行外側１行、合計３行にわたる例を表している。光ディスクの回転に伴い、レーザビームは３行幅の振幅で振動しながら行方向へ列を進んでいく。レーザビームの振動の位相は１周毎に位相シフタ（不図示）によって所定量シフトされて、所定量ずつ進んでまたは遅れていく。または、１周に含まれる振動数に所定量の余りができるように振動数と回転速度との関係を設計しても良い。図５においては、位相シフト量または余りは２π／８に設定されている。
【００６８】
以上のように、ＤＶＤ−Ｒ２００のデータ記録済領域は、未変色の領域と、さらに変色可能な領域から成り、装置１はフルパワーのレーザビームを高密度に照射して画像を形成する。そのため、装置１では、ＤＶＤ−Ｒ２００に記録したダミー情報データ上にレーザ光を照射して可視画像を形成するが、十分視認できるコントラストでサイズの大きな可視画像を形成できる。
【００６９】
なお、装置１では、画像の各画素に対してレーザビームを複数回照射する方式であれば、他の方式を用いることも可能である。例えば、光ディスクを回転させながら、レーザビームを振動させずに記録面に照射して、光ディスクが１回転する毎に、レーザビームの照射位置を一定量ずつ移動させて、レーザビームの軌跡が同心円状に複数形成されるようにする方式を適用することが可能である。
【００７０】
＜ダミー情報データの内容＞
前記のように、ＤＶＤ−Ｒのデータトラックは、データの内容にかかわらず、記録マークと非記録マークの比率はほぼ５０％になるように規格化されている。そのため、ダミー情報データとしてどのようなデータを用いても、ダミー情報データの記録領域の変色状態はほとんど変わらない。そのため、ダミー情報データには、どのようなデータを用いても良い。例えば、ｍｐ３のような音楽データやＭＰＥＧ２の映像データのような実用的なデータでも、オール０やオールＦのようなデータでも良い。
【００７１】
＜情報データの互換性＞
装置１では、上記のようにダミー情報データ及び情報データを記録すると、ダミー情報データを隠ぺいする処理、ファイナライズ処理を順に行う。一般的に、ＤＶＤプレーヤ（再生装置）は、指定された情報データを再生する（読み出す）際には、まずデータ領域の最内周側のボリューム構造が記述された領域を再生して、その情報データのアドレス（位置）情報を取得する。そして、ＤＶＤプレーヤは、データ領域の制御情報ファイルを読み出し、このファイル情報に基づいて、情報データの領域に光ピックアップをジャンプ（移動）させて、この領域を再生する。つまり、ＤＶＤプレーヤは、途中に記録されているデータが隠ぺいされて読み出し不能なデータであっても読み出し可能なデータであっても、関係なく光ピックアップを情報データの記録開始位置までジャンプさせる（読み飛ばす）。また、一般的なＤＶＤプレーヤは、隠ぺいされてアドレス（位置）情報の無いデータを再生しない。
【００７２】
また、装置１では、ダミー情報データについては、記録した位置情報（アドレス情報）を制御情報ファイルに記録せずに、隠ぺい処理して、このデータを読み出さないようにする。このとき、実際のデータは残っている。
【００７３】
したがって、装置１では、ダミー情報データ上に画像を形成するが、ダミー情報データは隠ぺい処理されたデータなので、他のＤＶＤプレーヤでもダミー情報データの外周側に記録された情報データを問題なく再生できる。
【００７４】
なお、ＤＶＤプレーヤによっては、情報データを読み出す際に、情報データの直前に記録されたダミー情報データの端部付近に光ピックアップをジャンプ（移動）させることも考えられる。しかし、ＤＶＤプレーヤは、通常、情報データを読み取りできない場合には、光ピックアップを移動させて、しばらくデータを探す機能を備えているので、ダミー情報データの端部にも画像が形成されていたとしても、情報データを問題なく読み出すことができる。
【００７５】
また、ダミー情報データの記録領域に形成する画像のサイズを、この記録領域の半径方向の幅よりも若干小さくすることで、ダミー情報データの端部付近に光ピックアップが移動したとしても、ダミー情報データを読み出すことができるので、情報データを問題なく読み出すことができる。
【００７６】
＜画像形成パターン＞
図６は、ＤＶＤ−Ｒの情報と画像の記録パターンを示した図である。装置１では、ＤＶＤ−Ｒ２００に記録する情報と画像の数量やデータサイズに応じて、ユーザは好みのパターンを選択することが可能である。
【００７７】
［１．全域記録］
装置１では、図６（Ａ）に示すＤＶＤ−Ｒ２００Ｃのように、データ領域の全域に、ユーザが指定した情報の記録と、ユーザが指定した画像の形成を行うことができる。ここで、データ領域とは、ＤＶＤ−Ｒ２００Ｃにおいては、リードイン領域２１１の外周側から記録不可能領域領域（正確にはリードアウト領域の）２１５内周側までの領域である。
【００７８】
装置１は、以下のようにして、ＤＶＤ−Ｒの全域に情報と画像を記録する。まず、装置１は、ＤＶＤ−Ｒ２００Ｃの記録可能領域の容量（空き容量）とユーザが記録を指定した情報のデータ量から、残り容量を算出する。そして、この残り容量分のダミー情報データを作成して、データ領域の内周側からダミー情報データ、情報データの順に記録する。これにより、ＤＶＤ−Ｒ２００Ｃには、データ領域の全域にわたり、その内周側からダミー情報データの記録領域２１７Ｃ及び情報データの記録済領域２１３Ｃが、この順に形成される。続いて、装置１は、ダミー情報データの隠ぺい処理と、ファイナライズ処理を行って、隠ぺいしたダミー情報データの記録領域２１７Ｃ上に画像２１６Ｃを形成する。以上の工程により、図６（Ａ）に示したように、画像の形成と情報の記録を行うことができる。
【００７９】
［２．一部領域記録］
装置１では、図６（Ｂ）に示すＤＶＤ−Ｒ２００Ｄのように、データ領域の内周側にサイズを調整した画像を形成し、その外周側に情報を記録して、その外周側をデータ未記録領域にすることができる。
【００８０】
装置１は、以下のようにして、ＤＶＤ−Ｒの一部領域に情報と画像を記録する。まず、装置１は、ＤＶＤ−Ｒ２００Ｄの記録可能領域の容量と、ユーザが記録を指定した情報のデータ量から、残り容量を算出する。続いて、装置１は、図６（Ａ）に示したような記録状態のイメージを表示部３３０に表示させて、画像を形成するダミー情報データ記録領域２１７Ｄの半径方向の幅の調整を操作部３４０から受け付ける。そして、装置１は、ユーザが行った調整に基づいて、ダミー情報データ記録領域２１７Ｄのデータ量を算出して、ダミー情報データを作成し、データ領域の内周側からダミー情報データ、情報データの順に記録する。これにより、ＤＶＤ−Ｒ２００Ｄには、データ領域の内周側からダミー情報データの記録領域２１７Ｄ及び情報データの記録済領域２１３Ｄが、この順に形成され、さらにその外周側に未記録領域２１４Ｄが残った状態となる。続いて、装置１は、ダミー情報データの隠ぺい処理と、ファイナライズ処理を行って、隠ぺいしたダミー情報データの記録領域２１７Ｄ内に収まるように調整した画像２１６Ｄを形成する。以上の工程により、図６（Ｂ）に示したように、画像の形成と情報の記録を行うことができる。
【００８１】
なお、ＤＶＤ−ＲＯＭには、半径３５ｍｍの位置まではデータが記録されていければならないという規則がある。そのため、装置１では、互換性を保つために、ダミー情報データの外周側に記録する情報データの、外周側の半径方向の位置が半径３５ｍｍ未満の場合には、それ以上の値になるように、ダミー情報データの記録領域を拡げる処理を行う。
【００８２】
［３．１つの情報と１つの画像を記録］
装置１では、ＤＶＤ−Ｒ２００に記録するのが、１つの情報と１つの画像の場合には、図６（Ａ）に示したように、情報と画像を、データ領域の全域に記録することも、図６（Ｂ）に示したように、データ領域の一部領域に記録することも可能である。
【００８３】
ここで、本発明では、１つの情報を記録とは、１つのデータのみを記録する場合と、１群のデータ（複数のデータ）をまとめて記録する場合と、を含むものとする。
【００８４】
［４．複数の情報と１つの画像を記録］
装置１では、図６（Ｃ）に示すＤＶＤ−Ｒ２００Ｅのように、ＤＶＤ−Ｒに形成する画像が１つで、ＤＶＤ−Ｒに記録する情報が複数ある場合には、情報データの間に画像を形成することができる。
【００８５】
装置１は、以下のようにして、ＤＶＤ−Ｒに情報と画像を記録する。まず、装置１は、ＤＶＤ−Ｒ２００Ｅの記録可能領域の容量と、ユーザが記録を指定した複数（図では２つ）の情報のデータ量から、残り容量を算出する。続いて、ユーザに図６（Ａ）に示したように２つのデータを１群のデータとして記録した状態のイメージを表示部３３０に表示させ、画像を形成するダミー情報データ記録領域２１７Ｅの記録順の変更を操作部３４０から受け付ける。ユーザが操作部３４０を操作して、記録順を変更した場合には、図６（Ｃ）に示したようなイメージを表示部３３０に表示させる。そして、装置１は、上記の残り容量分のダミー情報データを作成し、データ領域の内周側から情報データ、ダミー情報データ、情報データの順に記録する。これにより、ＤＶＤ−Ｒ２００Ｅには、データ領域の内周側から情報データの記録済領域２１３Ｅ１、ダミー情報データの記録領域２１７Ｅ、及び情報データの記録済領域２１３Ｅ２が形成される。また、装置１は、ダミー情報データの隠ぺい処理と、ファイナライズ処理を行って、隠ぺいしたダミー情報データの記録領域２１７Ｅ上に画像２１６Ｅを形成する。以上の工程により、図６（Ｃ）に示したように、情報データの間に画像を形成できる。
【００８６】
また、装置１では、上記図６（Ａ）に示したイメージが表示部３３０に表示された際に、データの記録順の変更と、画像を形成するダミー情報データの記録領域の半径方向の幅の変更と、を受け付けることができる。
【００８７】
この場合には、装置１は、上記の工程により、図６（Ｃ）に示したような記録状態を表示部３３０に表示させ、画像を形成するダミー情報データ記録領域２１７Ｅの半径方向の幅を、領域２１７Ｆのようにする調整を操作部３４０から受け付ける。そして、この調整に基づいて、ダミー情報データ記録領域２１７Ｆのデータ量を算出して、ダミー情報データを作成し、データ領域の内周側から情報データ、ダミー情報データ、情報データの順に記録する。これにより、ＤＶＤ−Ｒ２００Ｆには、データ領域の内周側から情報データの記録済領域２１３Ｆ１、ダミー情報データの記録領域２１７Ｆ、及び情報データの記録済領域２１３Ｆ２がこの順に形成され、さらにその外周側に未記録領域２１４Ｆが残った状態となる。続いて、装置１は、ダミー情報データの隠ぺい処理と、ファイナライズ処理を行って、隠ぺいしたダミー情報データの記録領域２１７Ｆ上に画像２１６Ｆを形成する。以上の工程により、図６（Ｄ）に示したように、画像の形成と情報の記録を行うことができる。
【００８８】
［５．１つの情報と複数の画像を記録］
装置１では、図６（Ｅ）に示すＤＶＤ−Ｒ２００Ｇのように、ＤＶＤ−Ｒに記録する情報が１つで、ＤＶＤ−Ｒに形成する画像が複数ある場合には、画像データの間に情報データを形成することができる。
【００８９】
装置１は、以下のようにして、ＤＶＤ−Ｒに情報と画像を記録する。まず、装置１は、ＤＶＤ−Ｒ２００Ｇの記録可能領域の容量とユーザが記録を指定した１つの情報のデータ量から、残り容量を算出する。続いて、装置１は、画像の数量分のダミー情報データ量の合計が残り容量以下になるように、残り容量を分割する。例えば、図６（Ｅ）に示したように、２つの画像をＤＶＤ−Ｒに形成する場合には、残り容量を半径方向の幅が同じ広さになるように分割して、２つのダミー情報データ記録領域を作成する。そして、ユーザに図６（Ｅ）に示したような記録状態を表示部３３０に表示させ、画像を形成するダミー情報データ記録領域２１７Ｇ１・２１７Ｇ２の半径方向の幅の調整を操作部３４０から受け付ける。そして、この調整に基づいて、ダミー情報データ記録領域２１７Ｇ１・２１７Ｇ２のデータ量を算出して、ダミー情報データを作成し、データ領域の内周側からダミー情報データ、情報データ、ダミー情報データの順に記録する。これにより、ＤＶＤ−Ｒ２００Ｇには、データ領域の内周側からダミー情報データの記録領域２１７Ｇ１、情報データの記録済領域２１３Ｇ、及びダミー情報データの記録領域２１７Ｇ２が形成される。続いて、装置１は、２つのダミー情報データの隠ぺい処理と、ファイナライズ処理を行って、隠ぺいしたダミー情報データの記録領域２１７Ｇ１内に収まるように調整した画像２１６Ｇ１（図ではＡＢＣＤＥ）を形成し、隠ぺいしたダミー情報データの記録領域２１７Ｇ２内に収まるように調整した画像２１６Ｇ２（図ではＦＧＨＩＪ）を形成する。以上の工程により、図６（Ｅ）に示したように、画像の形成と情報の記録を行うことができる。
【００９０】
なお、このモードでは、図６（Ｄ）に示したように、データ領域の最外周に未記録領域が残った状態にすることも可能である。
【００９１】
［６．複数の情報と複数の画像を記録］
装置１では、図６（Ｆ）に示すＤＶＤ−Ｒ２００Ｈのように、ＤＶＤ−Ｒに記録する情報が複数で、ＤＶＤ−Ｒに形成する画像が複数ある場合には、ユーザの指定の順に画像データと情報データを記録することができる。
【００９２】
装置１は、以下のようにして、ＤＶＤ−Ｒに情報と画像を記録する。まず、装置１は、ＤＶＤ−Ｒ２００Ｇの記録可能領域の容量とユーザが記録を指定した複数の情報の合計データ量から、残り容量を算出する。続いて、装置１は、ユーザが指定した画像及び情報の記録順に基づいて、画像の数量分のダミー情報データ量の合計が残り容量以下になるように、残り容量を分割する。例えば、図６（Ｆ）に示したように、２つの画像をＤＶＤ−Ｒに形成する場合には、残り容量を半径方向の幅が同じ広さになるように分割して、２つのダミー情報データ記録領域を作成する。そして、ユーザに図６（Ｆ）に示したような記録状態を表示部３３０に表示させ、画像を形成するダミー情報データ記録領域２１７Ｈ１・２１７Ｈ２の半径方向の幅の調整を操作部３４０から受け付ける。そして、この調整に基づいて、ダミー情報データ記録領域２１７Ｈ１・２１７Ｈ２のデータ量を算出して、ダミー情報データを作成し、データ領域の内周側から第１ダミー情報データ、第１情報データ、第２ダミー情報データ、第２情報データの順に記録する。これにより、ＤＶＤ−Ｒ２００Ｈには、データ領域の内周側からダミー情報データの記録領域２１７Ｈ１、情報データの記録済領域２１３Ｈ、及びダミー情報データの記録領域２１７Ｈ２が形成される。続いて、装置１は、２つのダミー情報データの隠ぺい処理と、ファイナライズ処理を行って、隠ぺいしたダミー情報データの記録領域２１７Ｈ１内に収まるように調整した画像２１６Ｈ１（図ではＡＢＣＤＥ）を形成し、隠ぺいしたダミー情報データの記録領域２１７Ｈ２内に収まるように調整した画像２１６Ｈ２（図ではＦＧＨＩＪ）を形成する。以上の工程により、図６（Ｆ）に示したように、画像の形成と情報の記録を行うことができる。
【００９３】
なお、このモードでは、図６（Ｄ）に示したように、データ領域の最外周に未記録領域が残った状態にすることも可能である。
【００９４】
＜情報と画像の記録動作＞
次に、装置１がデータの記録及び画像の形成を順次に（連続して）行う場合の動作について説明する。図７は、光ディスク記録再生装置の動作を説明するためのフローチャートである。
【００９５】
ホスト３０の制御部３６０は、操作部３４０が操作されるまで待機している（ｓ１：Ｎ）。ユーザは、ＤＶＤ−Ｒ２００に情報の記録と画像の形成を行う場合には、ホスト３０の操作部３４０を操作して、画像形成ブログラムを起動する。制御部３６０は、操作部３４０が操作されて、画像形成プログラムの起動指示を検出すると（ｓ１：Ｙ）、記憶部３２０から画像形成プログラム及び光ディスクドライブ制御プログラムを読み出して、これらのプログラムを実行する（ｓ２）。そして、制御部３６０は、情報の記録と画像の形成を順次に（連続して）行うか、画像のみを形成するかを確認するメッセージを、表示部３３０に表示させて（ｓ３）、操作部３４０が操作されるまで待機している（ｓ４：Ｎ）。
【００９６】
ユーザは、操作部３４０を操作して情報記録と画像形成の同時実行を選択する。制御部３６０は、操作部３４０が操作されて（ｓ４：Ｙ）、情報記録と画像形成の順次実行が選択されたことを検出すると（ｓ５：Ｙ）、光ディスクに記録する情報と画像の指示を受け付けるメッセージを表示して（ｓ８）、待機する（ｓ９：Ｎ）。
【００９７】
また、制御部３６０は、操作部３４０が操作されて（ｓ４：Ｙ）、画像形成の実行が選択されたことを検出すると（ｓ５：Ｎ，ｓ６：Ｙ）、ＤＶＤ−Ｒ２００に画像のみを形成する処理を行う(ｓ７）。制御部３６０は、ＤＶＤ−Ｒ２００に画像を形成すると、処理を終了する。なお、画像のみの形成処理は、周知なので説明を省略する。
【００９８】
また、制御部３６０は、操作部３４０が操作されて（ｓ４：Ｙ）、画像形成の中止が選択されたことを検出すると（ｓ５：Ｎ，ｓ６：Ｎ）、処理を終了する。
【００９９】
一方、ユーザは、ステップｓ８において表示部３３０に表示されたメッセージに従って、ＤＶＤ−Ｒ２００に記録する情報と画像を指示する。制御部３６０は、操作部３４０が操作されて、ＤＶＤ−Ｒ２００に記録する情報と画像が指示されたことを検出すると（ｓ９：Ｙ）、情報記録と画像形成の処理ルーチンを実行する（ｓ１０）。制御部３６０は、ＤＶＤ−Ｒ２００に情報と画像を形成する処理が完了すると、処理を終了する。
【０１００】
次に、情報記録と画像形成の処理ルーチンの詳細を説明する。図８は、情報記録と画像形成の処理ルーチンを説明するためのフローチャートである。
【０１０１】
制御部３６０は、まず、記録する情報と画像の数を確認する（ｓ２１）。制御部３６０は、記録する情報と画像が両方とも１つの場合には（ｓ２２：Ｙ）、ステップｓ２６の処理を行う。一方、制御部３６０は、記録する情報と画像の一方または両方が複数の場合には（ｓ２３：Ｙ）、情報と画像を記録する順序を指定するように促すメッセージを表示部３３０に表示させて（ｓ２４）、待機する（ｓ２５：Ｎ）。
【０１０２】
ユーザは、表示部３３０に表示されたメッセージに従って、情報と画像の記録順を指定する入力を行う。
【０１０３】
制御部３６０は、操作部３４０が操作されて、情報と画像の記録順が指定されたことを検出すると（ｓ２５：Ｙ）、ドライブ１０にセットされたＤＶＤ−Ｒ２００の記録可能容量の確認を指示する信号をドライブ１０へ出力し（ｓ２６）、ドライブ１０から応答があるまで待機する（ｓ２７：Ｎ）。
【０１０４】
ドライブ１０の制御部１７０は、この信号を受信すると、記録・読出部１５０にＤＶＤ−Ｒ２００の記録可能容量を確認させる。そして、制御部１７０は、記録・読出部１５０から通知されたＤＶＤ−Ｒ２００の記録可能容量の情報を取得すると、この情報をホスト３０に出力する。
【０１０５】
制御部３６０は、ドライブ１０から送られてきたＤＶＤ−Ｒ２００の記録可能容量の情報を取得すると（ｓ２７：Ｙ）、ユーザが記録を指定した全情報のデータ量を確認する（ｓ２８）。そして、制御部３６０は、ＤＶＤ−Ｒ２００の記録可能容量と、全情報のデータ量の差（残り容量）を算出する（ｓ２９）。続いて、制御部３６０は、ＤＶＤ−Ｒ２００の内周側から残り容量分のダミー情報データ及び全情報データをこの順に記録し、ダミー情報データの記録領域内に収まるサイズに変更した画像を、この領域に形成した場合のイメージ画像を生成する（ｓ３０）。このとき、制御部３６０は、ユーザが指定した情報と画像の記録順に従って、イメージ画像を作成する。また、制御部３６０は、記録する画像が複数ある場合には、ＤＶＤ−Ｒ２００に形成した各画像の半径方向の幅が同じ値になるように、残り容量を画像の数で分割して作成したダミー情報データと、情報データと、画像によるイメージ画像を作成する。
【０１０６】
続いて、制御部３６０は、作成したイメージ画像と、このイメージ画像のようにＤＶＤ−Ｒ２００の記録面に情報と画像を記録しても良いか、または画像サイズを変更するかを確認するメッセージを表示部３３０に表示させ（ｓ３１）、待機する（ｓ３２：Ｎ）。
【０１０７】
ユーザは、表示部３３０に表示されたメッセージを確認し、操作部３４０を操作して、表示通りに情報と画像を形成することを了承する操作を行うか、または、画像サイズを変更する操作を行う。
【０１０８】
制御部３６０は、操作部３４０が操作されたことを検出し（ｓ３２：Ｙ）、画像サイズを変更する操作が行われたことを検出した場合には（ｓ３３：Ｙ）、その操作によってサイズを変更された画像が記録可能なダミー情報データの記録領域のデータ量を算出する（ｓ３４）。そして、制御部３６０は、ダミー情報データ生成部３７０で、残容量分のダミー情報データを生成する（ｓ３５）。
【０１０９】
一方、表示通りに情報と画像を形成することが了承されたことを検出した場合には（ｓ３３：Ｎ）、制御部３６０は、ダミー情報データ生成部３７０で、残容量分のダミー情報データを生成する（ｓ３５）。このとき、制御部３６０は、記録する画像が複数ある場合には、ＤＶＤ−Ｒ２００に形成した各画像の半径方向の幅が同じ値になるように調整して、画像の個数分のダミー情報データを作成する。
【０１１０】
また、記憶部３２０から記録する全情報のデータを読み出す（ｓ３６）。そして、制御部３６０は、ダミー情報データと情報データをドライブ１０に出力し、ＤＶＤ−Ｒ２００のデータ領域の内周側から、画像を記録する領域用のダミー情報データと情報データを指定された順番に記録するように指示する制御信号を出力する。また、制御部３６０は、各ダミー情報データの記録後に、各ダミー情報データの記録開始位置と記録終了位置の情報（以下、記録位置情報と称する。）を返送するように指示する制御信号を出力して（ｓ３７）、待機する（ｓ３８：Ｎ）。
【０１１１】
ドライブ１０では、制御部１７０は、インタフェース１１０を介して光ディスクに記録するデータと制御信号を受信すると、記録情報処理部１２０が、ダミー情報データ及び情報データを８／１６変調し、記録・読出部１５０が変調したデータを指示された順に記録するように制御する。制御部１７０は、データの記録が完了すると、ダミー情報データの記録位置情報をホスト３０に出力する。
【０１１２】
ホスト３０の制御部３６０は、この記録位置情報を受信すると（ｓ３８：Ｙ）、ダミー情報データの隠ぺいとファイナライズの実行を指示する制御信号を出力する（ｓ３９）。また、制御部３６０は、記録位置情報に基づいて、ダミー情報データの記録領域内に収まるように指定された画像データのサイズを調整し、画像データが直交座標系の画像の場合には、極座標系の画像データに変換し、この極座標系の画像データ（画像形成データ）に基づいて、光ディスクを回転させながらレーザ光を照射して、画像を形成するためのレーザ照射パターンデータを連続的につなげたデータ（以下、シリアルデータと称する。）を作成する（ｓ４０）。作成が完了すると待機する（ｓ４１：Ｎ）
ドライブ１０の制御部１７０は、この制御信号を受信すると、記録・読出部１５０がＤＶＤ−Ｒ２００に記録したダミー情報データを隠ぺいするように制御する。
【０１１３】
ここで、ＤＶＤ−Ｒ２００は、追記型の光ディスクであり、一度記録したデータは削除できない。そのため、ドライブ１０では、データの隠ぺいを指示されると、制御情報ファイルにダミー情報データのファイル名やアドレス等の情報を書き込まずに、このデータが読み出さないように隠ぺい処理する。
【０１１４】
制御部１７０は、ダミー情報データを隠ぺいすると、続いてファイナライズ処理を行うように記録・読出部１５０を制御する。制御部１７０は、ファイナライズ処理が完了すると、ファイナライズ処理の完了を通知する信号をホスト３０に出力する。
【０１１５】
ホスト３０の制御部３６０は、この信号を受信すると（ｓ４１：Ｙ）、各画像のシリアルデータと、各ダミー情報データの記録位置情報を出力し、隠ぺいした各ダミー情報データの記録領域内に、各画像を形成するように指示する制御信号を出力し（ｓ４２）、待機する（ｓ４３：Ｎ）。
【０１１６】
ドライブ１０の制御部１７０は、この制御信号を受信すると、記録位置情報にと画像のシリアルデータとに基づいて、画像ライトレベルのレーザパワーのレーザビームをダミー情報データの記録領域に照射して、画像を形成する。制御部１７０は、画像形成を完了すると、画像形成処理の完了を通知する信号をホスト３０に出力する。
【０１１７】
ホスト３０の制御部３６０は、この通知信号を受信すると（ｓ４３：Ｙ）、ＤＶＤ−Ｒ２００への情報記録と画像形成が完了したので、処理を終了する。
【０１１８】
以上のように、本発明の光ディスク記録装置では、光ディスクの記録面にダミー情報データと情報データを記録し、ダミー情報データの隠ぺい処理及びファイナライズ処理を行って、ダミー情報データの記録領域内に画像を形成する。これにより、光ディスクの記録面の内周側にも画像を形成でき、かつ、記録面に記録した情報データも問題なく読み出すことができる。
【０１１９】
ここで、以上の説明では、一例としてＤＶＤ−Ｒの記録面のデータ記録層に画像を形成する場合について説明したが、本発明はこれに限るものではなく、データを記録できる他の種類の光ディスクにも本発明を適用可能である。例えば、ＤＶＤ＋Ｒ、ＣＤ−Ｒ、ＢＤ−Ｒ、ＨＤ  ＤＶＤ−Ｒといった追記型光ディスクに適用可能であり、特に色素の色が濃く、レーザビームが照射されると大きく変色するものが好適である。また、前記のように画像形成時にはライトレベル（データ記録レベル）よりも強い画像ライトレベルのレーザ光を照射するため、書換型光ディスクに画像を形成すると消去できない場合がある。そのため、情報データや画像の書き換えを行わないのであれば、ＤＶＤ−ＲＷ、ＤＶＤ−ＲＡＭ、ＤＶＤ＋ＲＷ、ＣＤ−ＲＷ、ＢＤ−ＲＥ、ＨＤ  ＤＶＤ−ＲＷ、ＨＤ  ＤＶＤ−ＲＡＭといった書換型光ディスクにも、本発明を適用可能であり、特にデータ記録層の相変化に応じて色の変化が大きいものが好適である。
【０１２０】
また、書換型光ディスクに本発明を適用する場合にも、ダミー情報データの隠ぺい処理を行う際には、制御情報ファイルにダミー情報データの情報を書き込まないようにし、実データは消去せずにそのまま残すように処理する必要がある。
【０１２１】
また、本発明では、ダミー情報データを記録する際のレーザビームのライトレベルを、このデータが読み出し可能なレベルの範囲内であれば、ライトレベルを弱めて、このダミー情報データを記録するようにしても良い。例えば、ライトレベルが３０±３ｍＷであれば、情報データを問題なく読み出すことができる場合には、例えばライトレベルを２７ｍＷまで弱めて、ダミー情報データを記録しても良い。このように、ライトレベルを弱めることにより、データ記録層の変色の度合いを弱めることができるので、ダミー情報データの記録領域に形成する画像のコントラストをより高くできる。
【０１２２】
また、本発明では、ダミー情報データの記録位置情報を、ダミー情報データの記録後に取得するようにしたが、これに限るものではなく、例えば、画像を形成する際に、ボリューム構造及びファイル構造の記述情報を参照し、光ディスクのデータ領域を内周側からスキャンして、隠ぺいしたダミー情報データの記録開始位置及び記録終了位置を検出することも可能である。
【図面の簡単な説明】
【０１２３】
【図１】画像を形成した光ディスクの一例を示す図である。
【図２】光ディスク記録再生装置の概略構成を示すブロック図である。
【図３】ＤＶＤ−Ｒのディスク半径とデータ容量の関係を示すグラフである。
【図４】光ディスクの外周側に画像を形成した場合と、内周側に画像を形成した場合を示す概観図である。
【図５】画像形成時のレーザ光の照射軌跡の一例を示す図である。
【図６】ＤＶＤ−Ｒの情報と画像の記録パターンを示した図である。
【図７】光ディスク記録再生装置の動作を説明するためのフローチャートである。
【図８】情報記録と画像形成の処理ルーチンを説明するためのフローチャートである。
【符号の説明】
【０１２４】
１…光ディスク記録再生装置（略称：装置）    １０…光ディスクドライブ（略称：ドライブ）    ２０…ケーブル    ３０…ホストコンピュータ（略称：ホスト）    １１０…インタフェース    １２０…記録情報処理部    １３０…画像データ処理部    １４０…読出情報処理部    １５０…記録・読出部    １６０…記憶部    １７０…制御部    ３１０…インタフェース    ３２０…記憶部    ３３０…表示部    ３４０…操作部    ３５０…通信部    ３６０…制御部    ３７０…ダミー情報データ生成部    ３９０…バス
【図１】
2008276856.tif 000003
【図２】
2008276856.tif 000004
【図３】
2008276856.tif 000005
【図４】
2008276856.tif 000006
【図５】
2008276856.tif 000007
【図６】
2008276856.tif 000008
【図７】
2008276856.tif 000009
【図８】
2008276856.tif 000010